【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
複数の医療関連施設に夫々設置される複数の施設処理装置と該複数の施設処理装置に双方向通信ネットワークを介して接続される集中処理装置とを備えた双方向通信ネットワークによる医療情報提供・取得システムであって、
前記集中処理装置は、前記複数の施設処理装置に所定種類の医療用アプリケーションプログラムを、前記双方向通信ネットワークを介して夫々提供する提供手段を備え、
前記施設処理装置は、前記医療用アプリケーションプログラムの実行により得られる患者データを転送する転送手段を備え、
前記施設処理装置及び前記集中処理装置のうち少なくとも一方は、患者毎に匿名化した患者識別符号を付与する符号付与手段を更に備え、
前記集中処理装置は、前記転送手段により転送されてきた患者データを前記匿名化された患者識別符号に対応付けて且つ研究及び治験のうち少なくとも一つを含む目的別に格納する統計処理用格納手段を更に備えたことを特徴とする双方向通信ネットワークによる医療情報提供・取得システム。
【請求項２】
前記集中処理装置は、前記転送されてきた患者データ又は前記統計処理用格納手段に格納された患者データを、前記目的別に且つ前記患者識別符号に基づいて統計処理する処理手段を更に備えることを特徴とする請求項１に記載の双方向通信ネットワークによる医療情報提供・取得システム。
【請求項３】
コンピュータを、請求項１又は２に記載の双方向通信ネットワークによる医療情報提供・取得システムに備えられた前記集中処理装置及び前記施設処理装置のうち少なくとも一方として機能させるコンピュータプログラム。
【手続補正２】
【補正対象書類名】明細書
【補正対象項目名】０００８
【補正方法】変更
【補正の内容】
【０００８】
本発明の双方向通信ネットワークによる医療情報提供・取得システムは上記課題を解決するために、複数の医療関連施設に夫々設置される複数の施設処理装置と該複数の施設処理装置に双方向通信ネットワークを介して接続される集中処理装置とを備えた双方向通信ネットワークによる医療情報提供・取得システムであって、前記集中処理装置は、前記複数の施設処理装置に所定種類の医療用アプリケーションプログラムを、前記双方向通信ネットワークを介して夫々提供する提供手段を備え、前記施設処理装置は、前記医療用アプリケーションプログラムの実行により得られる患者データを転送する転送手段を備え、前記施設処理装置及び前記集中処理装置のうち少なくとも一方は、患者毎に匿名化した患者識別符号を付与する符号付与手段を更に備え、前記集中処理装置は、前記転送手段により転送されてきた患者データを前記匿名化された患者識別符号に対応付けて且つ研究及び治験のうち少なくとも一つを含む目的別に格納する統計処理用格納手段を更に備える。
【手続補正３】
【補正対象書類名】明細書
【補正対象項目名】０００９
【補正方法】変更
【補正の内容】
【０００９】
本発明の双方向通信ネットワークによる医療情報提供・取得システムによれば、集中処理装置は、提供手段によって、施設処理装置に所定種類の医療用アプリケーションプログラムを、双方向通信ネットワークを介して夫々提供する。例えば、電子カルテシステム、ナビゲーションケアマップ或いはクリティカルパスシステム、オーダリングシステム、アカウンティングシステム等の所定種類の医療用アプリケーションプログラムを、双方向通信ネットワークを介して夫々提供する。これを受けて、施設処理装置は、転送手段によって、医療用アプリケーションプログラムの実行により得られる患者データを集中処理装置側に転送する。ここでは例えば、医療用アプリケーションプログラムの実行により得られる患者データの中から抽出する形で、患者データを転送する。ここで、施設処理装置及び集中処理装置のうち少なくとも一方に備えられた符号付与手段によって、患者毎に匿名化した患者識別符号を付与する。そして、集中処理装置は、転送手段により転送されてきた患者データを、この匿名化された患者識別符号に対応付けて且つ研究及び治験のうち少なくとも一つを含む目的別に統計処理用格納手段によって格納する。従って、各施設処理装置側では、患者データを、医療用アプリケーションプログラムの実行により得られる患者データとして統一的な形式で確実に転送できる。しかも、集中処理装置では、双方向通信ネットワークを介して、匿名化されており且つ統一的な形式を有する患者データを、効率的に収集可能となる。このように最終的には、匿名化された患者データを、効率良く統計処理用に収集できる。
本発明の一態様では、前記集中処理装置は、前記転送されてきた患者データ又は前記統計処理用格納手段に格納された患者データを、前記目的別に且つ前記患者識別符号に基づいて統計処理する処理手段を更に備える。
この態様によれば、前記集中処理装置は、前記転送されてきた患者データ又は前記統計処理用格納手段に格納された患者データを、前記目的別に統計処理する処理手段を更に備えているため、匿名化された患者データを、処理手段によって研究や治験などの目的別に効率良く統計処理できる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３８
【補正方法】変更
【補正の内容】
【００３８】
本発明のコンピュータプログラムによれば、上述した本発明の双方向通信ネットワークによる医療情報提供・取得システムに備えられた集中処理装置及び施設処理装置のうち少なくとも一方を、情報記録媒体の格納プログラムや通信ネットワークを通じたダウンロード／インストールによるプログラムで実行可能になる。より具体的には、当該コンピュータプログラムによって、コンピュータを、施設処理装置における転送手段、符号付与手段等として夫々機能させたり、集中処理装置を構成する統計処理用格納手段、符号付与手段等として夫々機能させたりできる。例えば、情報記録媒体によるパーケージソフトウェアや、通信ネットワークを通じたダウンロード／インストールによるシェアウエアとして流通させることが可能になり、本発明の汎用性が向上する。換言すれば、実施が容易かつ確実に出来るようになる。